(57)【要約】      （修正有）【課題】既設の階段に簡単に設置して、不要な時には、簡単に撤去できる階段補助ステップを提供する。【解決手段】階段１における幅方向の一部の踏み面上に設置され、且つ、階段１の蹴上げ高さよりも低い高さの足載せ面３を有する階段補助ステップ２であって、足載せ面３を上面に有する補助ステップ本体４の下部に階段１の踏み面上に対する載置部を設け、補助ステップ本体４は、上面に足載せ面３を形成する上側部材１７と、下面に載置部を形成する下側部材１８とで構成すると共に、下側部材１８に対して上側部材１７を高さ変更調整自在に一体連結及び分離可能に構成してある。【選択図】図４
2014240600.tif 000002
【特許請求の範囲】
【請求項１】
階段における幅方向の一部の踏み面上に設置され、且つ、階段の蹴上げ高さよりも低い高さの足載せ面を有する階段補助ステップであって、
前記足載せ面を上面に有する補助ステップ本体の下部に前記階段の踏み面上に対する載置部を設け、
階段における上下に隣接する踏み面夫々に載置した複数の前記補助ステップ本体同士を、着脱自在に連結する連結部を、前記補助ステップ本体に設けてある階段補助ステップ。
【請求項２】
前記補助ステップ本体の足載せ面の奥側部分から上方に突出する第１連結用延設部を設け、
前記補助ステップ本体の手前側下部と前記第１連結用延設部とに、互いに係合し合う係合部と被係合部とを設けて前記連結部を形成してある請求項１記載の階段補助ステップ。
【請求項３】
前記補助ステップ本体の手前側下部から下方に突出する第２連結用延設部を設け、
前記補助ステップ本体の足載せ面の奥側部分と前記第２連結用延設部とに、互いに係合し合う係合部と被係合部とを設けて前記連結部を形成してある請求項１記載の階段補助ステップ。
【請求項４】
前記補助ステップ本体の足載せ面の奥側部分から上方に突出する第１連結用延設部を設け、
前記補助ステップ本体の手前側下部から下方に突出する第２連結用延設部を設け、
前記第１連結用延設部と前記第２連結用延設部とに、互いに係合し合う係合部と被係合部とを設けて前記連結部を形成してある請求項１記載の階段補助ステップ。
【請求項５】
請求項１〜４のいずれか１項に記載の階段補助ステップを、階段における最上段より下側の各踏み面夫々に設置し、
前記最上段より一段下側の踏み面に設置した階段補助ステップに、階段に着脱自在に固定する固定具を取り付けてある階段補助ステップ装置。
【請求項６】
階段における幅方向の一部の踏み面上に設置され、且つ、階段の蹴上げ高さよりも低い高さの足載せ面を有する階段補助ステップを設け、
複数段の階段における上段部から下段部に至る側壁に沿って配置する支持フレームを設け、
複数段の階段夫々の踏み面に設置する複数の前記階段補助ステップに対する連結支持部を、前記支持フレームに設けてある階段補助ステップ装置。
【請求項７】
前記支持フレームに前記階段に対する着脱自在な固定部を設けてある請求項６に記載の階段補助ステップ装置。
【請求項８】
前記支持フレームに前記階段の傾斜に沿った手摺を設けてある請求項６または７に記載の階段補助ステップ装置。
【発明の詳細な説明】
【技術分野】
【０００１】
本発明は、階段における幅方向の一部の踏み面上に設置され、且つ、階段の蹴上げ高さよりも低い高さの足載せ面を有する階段補助ステップ及び階段補助ステップ装置に関する。
つまり、高齢者や足腰の不自由な利用者にとって、階段を昇降するのに、階段の各段の蹴上げ高さが高くて負担が大きい場合に、各段差の蹴上げ高さよりも低い高さの足載せ面を上面に有する補助ステップが、階段における幅方向の一部に形成してあることにより、階段の各踏み面と、補助ステップの各足載せ面とに交互に左右の足を載せて、1ステップ毎の昇降高さを小さく楽に昇降できるようにしてあるものである。
【背景技術】
【０００２】
従来考えられている上記階段補助ステップは、階段の各段に一体に形成するか、もしくは、階段の各段の踏み面上に載置して各段に固定できるように構成してあるものがあった。（例えば、特許文献１、２参照）。
【先行技術文献】
【特許文献】
【０００３】
【特許文献１】特開２００２−３２７５２１号公報
【特許文献２】実開平２−１３３６号公報
【発明の概要】
【発明が解決しようとする課題】
【０００４】
上述した従来の階段補助ステップにおいて、前者のように予め階段の各段に補助ステップを一体に形成するためには、既存の階段には適応しにくく、階段そのものを作り直さなければならず、製作コストや手間が多くかかる問題があり、しかも、簡単に取り外せないために、不要になった場合には補助ステップそのものが邪魔な存在になることがあった。
これに対し、後者の階段補助ステップは、階段の各踏み面上に載置した補助ステップを、不要時には取り外すこともできるために、既設の階段に適応しやすい。しかし、階段の各踏み面上に載置する補助ステップは、夫々が動かないようにするために、個別に階段に固定しなければならず、施工に多くの手間が必要となり、また、取り外す場合も同様に多くの手間が必要と成る問題があった。
【０００５】
従って、本発明の目的は、上記問題点を解消し、階段補助ステップを既設の階段に簡単に設置して、不要な時には、簡単に撤去できるようにするところにある。
【課題を解決するための手段】
【０００６】
本発明の第１の特徴構成は、階段における幅方向の一部の踏み面上に設置され、且つ、階段の蹴上げ高さよりも低い高さの足載せ面を有する階段補助ステップであって、前記足載せ面を上面に有する補助ステップ本体の下部に前記階段の踏み面上に対する載置部を設け、階段における上下に隣接する踏み面夫々に載置した複数の前記補助ステップ本体同士を、着脱自在に連結する連結部を、前記補助ステップ本体に設けたところにある。
【０００７】
本発明の第１の特徴構成によれば、補助ステップ本体は、階段における夫々の踏み面上に載置部を置き、上下に隣接する複数の補助ステップ本体同士を連結部（第１実施形態では、第１連結部を示す）を介して連結することで、相互に一連一体のものになり、夫々の補助ステップ本体は、階段の各段の踏み面上で移動しにくく、設置姿勢が安定しやすくなる。
従って、階段の昇降を助ける階段補助ステップを既設の階段に設置しやすく、且つ、夫々が安定した状態で設置位置を確保しやすくなり、安全性を簡単に向上できる。
しかも、各連結部を外すことで、不要時には簡単に階段から撤去することができる。
【０００８】
本発明の第２の特徴構成は、前記補助ステップ本体の足載せ面の奥側部分から上方に突出する第１連結用延設部を設け、前記補助ステップ本体の手前側下部と前記第１連結用延設部とに、互いに係合し合う係合部と被係合部とを設けて前記連結部を形成したところにある。
【０００９】
本発明の第２の特徴構成によれば、本発明の第１の特徴構成による上述の作用効果を叶えることができるのに加えて、前記補助ステップ本体の足載せ面の奥側部分から上方に突出する第１連結用延設部を設け、前記補助ステップ本体の手前側下部と前記第１連結用延設部とに、互いに係合し合う係合部と被係合部とを設けて前記連結部を形成してあるために、下側の補助ステップ本体から突出する第１連結用延設部と隣接する上側の補助ステップ本体とを、連結部の係合部と被係合部を係合することで、簡単に連結一体化でき、上下に隣接する補助ステップ夫々が互いに安定した姿勢に維持できる。
また、連結部で係合部と被係合部とを係合解除することで、簡単に分離でき撤去を容易にできる。
【００１０】
本発明の第３の特徴構成は、前記補助ステップ本体の手前側下部から下方に突出する第２連結用延設部を設け、前記補助ステップ本体の足載せ面の奥側部分と前記第２連結用延設部とに、互いに係合し合う係合部と被係合部とを設けて前記連結部を形成したところにある。
【００１１】
本発明の第３の特徴構成によれば、上側の補助ステップ本体から下方に突出する第２連結用延設部と、隣接する下側の補助ステップ本体とを、連結部の係合部と被係合部を係合することで、簡単に連結一体化でき、上下に隣接する補助ステップ夫々が互いに安定した姿勢に維持できる。
また、連結部における係合部と被係合部とを係合解除することで、簡単に分離でき撤去を容易にできる。
【００１２】
本発明の第４の特徴構成は、前記補助ステップ本体の足載せ面の奥側部分から上方に突出する第１連結用延設部を設け、前記補助ステップ本体の手前側下部から下方に突出する第２連結用延設部を設け、前記第１連結用延設部と前記第２連結用延設部とに、互いに係合し合う係合部と被係合部とを設けて前記連結部を形成したところにある。
【００１３】
本発明の第４の特徴構成によれば、互いに上下に隣接する下側の補助ステップ本体から上方に突出する第１連結用延設部と、上側の補助ステップ本体から下方に突出する第２連結用延設部とを、連結部の係合部と被係合部との連結により，簡単に連結一体化でき、上下に隣接する補助ステップ夫々が互いに安定した姿勢に維持できる。
また、連結部における係合部と被係合部とを係合解除することで、簡単に分離でき撤去を容易にできる。
【００１４】
本発明の第５の特徴構成は、階段補助ステップを、階段における最上段より下側の各踏み面夫々に設置し、前記最上段より一段下側の踏み面に設置した階段補助ステップに、階段に着脱自在に固定する固定具を取り付けたところにある。
【００１５】
本発明の第５の特徴構成によれば、前記最上段より一段下側の踏み面に設置した階段補助ステップに、階段に着脱自在に固定する固定具を取り付けてあるから、階段の各段の踏み面上夫々に階段補助ステップを載置して、上下に隣接するもの同士を、連結部を介して互いに連結することで、夫々の階段補助ステップ同士を一連に安定して設置でき、その上、階段補助ステップに取り付けた固定具を階段に固定することで、一連の複数の階段補助ステップを確実に移動しないように固定できる。
従って、階段補助ステップ夫々を安定確保してより安全性を簡単に向上させることができ、しかも、不要時には、固定具を取り外せば簡単に一連の階段補助ステップを撤去できる。
【００１６】
本発明の第６の特徴構成は、階段における幅方向の一部の踏み面上に設置され、且つ、階段の蹴上げ高さよりも低い高さの足載せ面を有する階段補助ステップを設け、複数段の階段における上段部から下段部に至る側壁に沿って配置する支持フレームを設け、複数段の階段夫々の踏み面に設置する複数の前記階段補助ステップに対する連結支持部を、前記支持フレームに設けたところにある。
【００１７】
本発明の第６の特徴構成によれば、階段の各段の踏み面に設置した階段補助ステップは、複数段の階段における上段部から下段部に至る側壁に沿って配置する支持フレームに、連結支持部を介して連結することで、複数の階段補助ステップ夫々が安定した姿勢を維持しやすくなる。
従って、既設の階段に簡単に設置できながら安全性を向上させることができる。
【００１８】
本発明の第７の特徴構成は、前記支持フレームに前記階段に対する着脱自在な固定部を設けたところにある。
【００１９】
本発明の第７の特徴構成によれば、固定部を介して支持フレームを階段に固定することで、支持フレームに連結された複数の階段補助ステップ夫々は、確実にその設置位置を安定して確保できる。
【００２０】
本発明の第８の特徴構成は、前記支持フレームに前記階段の傾斜に沿った手摺を設けたところにある。
【００２１】
本発明の第８の特徴構成によれば、階段補助ステップと共に、それらを連結する支持フレームを設置するだけで、その支持フレームに設けた手摺を使って、より安全に階段を昇降できる。
【図面の簡単な説明】
【００２２】
【図１】本発明の階段補助ステップの設置状態を示す斜視図である。
【図２】本発明の階段補助ステップの斜視図である。
【図３】本発明の階段補助ステップの分解斜視図である。
【図４】本発明の階段補助ステップの第１の設置状態を示す側面図である。
【図５】本発明の階段補助ステップの第２の設置状態を示す側面図である。
【図６】別実施形態の組み付け説明を示す斜視図である。
【図７】別実施形態の全体側面図である。
【図８】（ａ）、（ｂ）、（ｃ）は夫々個別の別実施形態を示す概略図である。
【図９】別実施形態の全体斜視図で、（ａ）は階段への設置状態を示し、（ｂ）は設置前か取り外し後の状態図で、（ｃ）は積み重ね状態を示す斜視図である。
【発明を実施するための形態】
【００２３】
以下に本発明の実施の形態を図面に基づいて説明する。
[第１実施形態]
図１〜図５に基づいて説明する。
建築物に形成された複数段の階段１は、蹴上げ高さが一定に設定され、その高さは高齢者や足の不自由な人にとっては負担の多いものである。
そこで、例えば蹴上げ高さを約半分にすべく、下記で示す階段補助ステップ２を、既設の階段１に設置して、左右の足の一方を既設の階段１の踏み面上に載せ、他方の足を階段補助ステップ２の足載せ面３上に載せると言う動作を、繰り返し行いながら階段１を楽に昇降できるようにするものである。
【００２４】
図２、図３に示すように、前記階段補助ステップ２は、階段１の蹴上げ高さよりも低い高さの足載せ面３を有し、足載せ面３を上面に有する補助ステップ本体４の下部に階段１の踏み面上に対する載置部５を設け、階段１における上下に隣接する踏み面夫々に載置した複数の補助ステップ本体４同士を、着脱自在に連結する連結部としての第１連結部６を、補助ステップ本体４に設けてある。
【００２５】
前記補助ステップ本体４の足載せ面３の奥側部分から上方に突出する第１連結用延設部７を設け、補助ステップ本体４の手前側下部から下方に突出する第２連結用延設部８を設け、第１連結用延設部７と第２連結用延設部８とに、互いに係合し合う係合部９と被係合部１０とを設けて第１連結部６を形成してある。
前記第１連結用延設部７には、補助ステップ本体４とは別部材の第１延設部材１１を、補助ステップ本体４に着脱自在に取り付けることで構成してある。
また、前記第２連結用延設部８には、第１延設部材１１と同様に補助ステップ本体４とは別部材の第２延設部材１２を、補助ステップ本体４に着脱自在に取り付けることで構成してある。
【００２６】
前記第１連結部６は、第１連結用延設部７における第１延設部材１１の一端部に係合部９を設け、係合部９が係合する被係合部１０を、第２連結用延設部８における第２延設部材１２の一端部に設けて、互いに各階段１の踏み面横方向にスライド嵌合させて連結可能に構成してある。
【００２７】
前記補助ステップ本体４は、上面に足載せ面３を形成する第１分割本体１３と第２分割本体１４から成る上側部材１７と、下面に載置部５を形成する第３分割本体１５と第４分割本体１６から成る下側部材１８とで分割及び一体連結可能に構成してある(図２、図３)。
前記上側部材１７において、第１分割本体１３と第２分割本体１４とは互いにスライド嵌合する第２連結部１９を設けて一体連結及び分離可能に構成してある。
尚、第２連結部１９は、その連結状態を強固に確保するために、必要に応じてロックビスなどで不測に分離しないようにしてもよい。
前記第１分割本体１３と第３分割本体１５とは第３連結部２０を設けて、第３分割本体１５に対して第１分割本体１３を、高さ変更調整自在に連結及び分離可能に構成してあり、第２分割本体１４と第４分割本体１６とは第４連結部２１を設けて、第４分割本体１６に対して第２分割本体１４を、高さ変更調整自在に連結及び分離可能に構成してある。従って、階段１の蹴上げ高さに応じて足載せ面３の高さを調整可能に構成してある。
【００２８】
前記第１延設部材１１の補助ステップ本体４への取り付けには、第５連結部２２を形成して着脱自在に、且つ、前後相対連結位置変更自在に構成してある。つまり、具体的には、第２分割本体１４の上面部に踏み面の横方向に沿ったアリ溝２３を、前後に複数本並設すると共に、そのアリ溝２３に横からスライド嵌合自在な凸条２４を第１延設部材１１の他端部に設けて、複数のアリ溝２３に対して凸条２４を選択的にスライド嵌合させることで、第２分割本体１４に対する第１延設部材１１の前後取付位置を変更調整可能な第５連結部２２を構成してある。
【００２９】
尚、図４又は図５に示すように、６本のアリ溝２３に対して２本の凸条２４を設けて、２本の凸条２４を嵌合させるアリ溝２３を選択可能にしてある。つまり、階段の各ステップの奥行きの違いに対応して調節可能にしてある。
【００３０】
第２延設部材１２の他端部と第１分割本体１３の前側下端部には、横方向に沿ったアリ溝２３とそのアリ溝２３に嵌合可能な凸条２４を設けて、互いにスライド嵌合可能な第６連結部２５を構成してある。
【００３１】
尚、前記第１分割本体１３、第２分割本体１４、第３分割本体１５、第４分割本体１６から成る補助ステップ本体４の他に、第１延設部材１１、第２延設部材１２を、すべて、アルミニウムなどの金属の押し出し成型により製造してあるが、その素材は、合成樹脂やＦＲＰあるいは天然木製やセラミックス製であっても良い。
【００３２】
上記複数の部材の組み付けにより、階段１の各段に階段補助ステップ２を設置するについて、より安全性を高めるために、第１分割本体１３の前端縁部にステンレスやアルミニウムの芯材の表面側に蓄光性の軟質樹脂を接着した滑り止め部材２６を取り付けたり、第３分割本体１５と第４分割本体１６の下面にクッションゴム２７を夫々取り付けてある。
【００３３】
押し出し成型により、製造された補助ステップ本体４の左右両端部の少なくとも一方側でその内部の空洞部が露出する小口には、樹脂カバー２８を装着して第１連結部６、第２連結部１９、第３連結部２０、第４連結部２１、第５連結部２２、第６連結部２５が夫々外れないように構成してある。
【００３４】
尚、第１連結部６、第２連結部１９、第３連結部２０、第４連結部２１、第５連結部２２、第６連結部２５は、夫々スライド嵌合により着脱自在に連結させるように構成してあるために、階段補助ステップ同士が図１に示す矢印Ａ方向（左右）に相対回転するのを防止して、安定設置可能に構成してある。
従って、階段補助ステップを使っての昇降時の安全性を確保できる。
【００３５】
〔別実施形態〕
以下に他の実施の形態を説明する。
【００３６】
〈１〉  図８（ａ）、（ｃ）に示すように、前記第１延設部材１１を、補助ステップ本体４とは別部材として第１実施形態を示したが、補助ステップ本体４の一部として一体連設して第１連結用延設部７を構成してあってもよい。
〈２〉  図８（ｂ）、（ｃ）に示すように、前記第２延設部材１２は、第１延設部材１１と同様に、補助ステップ本体４の一部として一体連設して第２連結用延設部８を構成してあってもよい。
〈３〉  第１延設部材１１と第２延設部材１２とを別々に設ける代わりに、図８（ａ）に示すように、補助ステップ本体４の足載せ面３の奥側部分から上方に一体に突出する第１連結用延設部７を設け、補助ステップ本体４の手前側下部と第１連結用延設部７とに、互いに係合し合う係合部９と被係合部１０とを設けて第１連結部６を形成してあったり、図８（ｂ）に示すように、補助ステップ本体４の手前側下部から下方に一体に突出する第２連結用延設部８を設け、補助ステップ本体４の足載せ面３の奥側部分と第２連結用延設部８とに、互いに係合し合う係合部９と被係合部１０とを設けて第１連結部６を形成してあってもよい。また、図８（ｃ）に示すように、補助ステップ本体４の足載せ面３の奥側部分から上方に一体に突出する第１連結用延設部７を設けると共に、補助ステップ本体４の手前側下部から下方に一体に突出する第２連結用延設部８を設け、第１連結用延設部７と第２連結用延設部８とに互いに係合しあう係合部９と被係合部１０とを設けて第１連結部６を構成してあっても良い。
〈４〉  複数段の階段１において、最上段より一段下側の踏み面に設置した階段補助ステップ２に、階段１に着脱自在に固定する固定具を取り付けて、一連の複数の階段補助ステップ２をより安定的に階段１に設置できるようにしてあってもよく、固定具による階段１への固定は、ビスや釘等による固定以外に、階段１の最上段部に壁や側壁部３０への係合固定が可能に構成してあっても良い。
【００３７】
[第２実施形態]
図６〜図７に示すように、階段１における幅方向の一部の踏み面上に設置され、且つ、階段１の蹴上げ高さよりも低い高さの足載せ面３を有する階段補助ステップ２を設け、複数段の階段１における上段部から下段部に至る側壁に沿って配置する長尺の支持フレーム３１を設け、複数段の階段１夫々の踏み面に設置する複数の階段補助ステップ２に対する連結支持部３２を、支持フレーム３１に設けて階段補助ステップ装置を構成してある。
【００３８】
前記連結支持部３２は、支持フレーム３１の長手方向において階段１の各段のピッチに応じた設定間隔ごとに横方向に突出する補助フレーム３３を一体連設して、その補助フレーム３３を階段補助ステップ２に形成した嵌合部に内嵌して一体連結可能に構成してある。
従って、複数の階段補助ステップ２は、階段１の各段に設置した状態で、支持フレーム３１により安定的に位置保持され安全性を確保できる。
尚、支持フレーム３１の上端部には、階段１の上端部や側壁部３０などに着脱自在に固定する固定部３４を設けて、より安定性を向上可能に構成してある。
【００３９】
（別実施形態）
１．支持フレーム３１には、図６に示すように、階段１の傾斜に沿った手摺３５を一体に設けたり、着脱自在に取り付けられるようにしてあってもよい。
２．支持フレーム３１は、図７に示すように、上下搖動自在に、その下端部を床面部に固定できるように構成して、階段補助ステップ２が不要時には、支持フレーム３１を上方に搖動させて、簡単に階段１の踏み面上から撤去できるようにしてあってもよい。
【００４０】
[第３実施形態]
図９（ａ）、（ｂ）、（ｃ）に示すように、前記連結部を構成するのに、複数段の階段１夫々の踏み面に載置する複数の階段補助ステップ２を、夫々連結するワイヤ等の可撓性連結部材３６を設けてもよい。
尚、可撓性連結部材３６は、ワイヤ以外に紐やロープ状のものや、鎖状のものでもよく、可撓性があれば採用できる。
この場合、階段の踏み面に階段補助ステップ２を載置した後には、その階段補助ステップ２が簡単に移動しないように、載置部５に滑り止め部材を設けたり、補助ステップ本体を階段１に固定したり、最上段の階段補助ステップ２にワイヤなどの可撓性連結部材３６を上方に延長させて、その可撓性連結部材３６をビス４０などの固定具で階段１や側壁部３０などに固定すれば良く（図９（ａ））、可撓性連結部材３６で複数の階段補助ステップが連結されているために、複数の階段１への設置作業が短時間で簡単に行うことができ、施工性を良好にすることができるばかりか、階段１への設置前や取り外し後に、図９(ａ)⇔（ｂ）⇔（ｃ）に示すように、バラバラにならないように積み重ねて、場所をとらないように保管や運搬が便利にできると言う利点を有する。
また、可撓性連結部材３６により連結されている複数の階段補助ステップ２夫々が、階段１夫々の踏み面上で位置安定するように、前述の第２実施形態の構造と組み合わせてあっても良い。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００４１】
１      階段
２      階段補助ステップ
３      足載せ面
４      補助ステップ本体
５      載置部
６      連結部（第１連結部）
７      第１連結用延設部
８      第２連結用延設部
９      係合部
１０    被係合部
２９    固定具
３１    支持フレーム
３２    連結支持部
３４    固定部
３５    手摺
【図１】
2014240600.tif 000003
【図２】
2014240600.tif 000004
【図３】
2014240600.tif 000005
【図４】
2014240600.tif 000006
【図５】
2014240600.tif 000007
【図６】
2014240600.tif 000008
【図７】
2014240600.tif 000009
【図８】
2014240600.tif 000010
【図９】
2014240600.tif 000011
【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
階段における幅方向の一部の踏み面上に設置され、且つ、階段の蹴上げ高さよりも低い高さの足載せ面を有する階段補助ステップであって、
前記足載せ面を上面に有する補助ステップ本体の下部に前記階段の踏み面上に対する載置部を設け、
前記補助ステップ本体は、上面に前記足載せ面を形成する上側部材と、下面に前記載置部を形成する下側部材とで構成すると共に、
前記下側部材に対して前記上側部材を高さ変更調整自在に一体連結及び分離可能に構成してある階段補助ステップ。
【請求項２】
前記上側部材と前記下側部材との連結部は、スライド嵌合により着脱自在に連結可能に構成してある請求項１に記載の階段補助ステップ。
【請求項３】
前記上側部材を、夫々上面に前記足載せ面を形成する第１分割本体と第２分割本体とから構成すると共に、
前記第１分割本体と前記第２分割本体とは、互いにスライド嵌合する連結部を設けて一体連結及び分離可能に構成してある請求項１または２に記載の階段補助ステップ。
【請求項４】
前記下側部材は、夫々下面に前記載置部を形成する第３分割本体と第４分割本体とから構成し、
前記第１分割本体と前記第３分割本体とは、高さ変更調整自在に連結及び分離可能にする第３連結部を設け、
前記第２分割本体と前記第４分割本体とは、高さ変更調整自在に連結及び分離可能にする第４連結部を設け、
前記第３分割本体と前記第４分割本体とは、非連結状態に形成してある請求項３に記載の階段補助ステップ。
【手続補正２】
【補正対象書類名】明細書
【補正対象項目名】全文
【補正方法】変更
【補正の内容】
【発明の詳細な説明】
【技術分野】
【０００１】
本発明は、階段における幅方向の一部の踏み面上に設置され、且つ、階段の蹴上げ高さよりも低い高さの足載せ面を有する階段補助ステップに関する。
つまり、高齢者や足腰の不自由な利用者にとって、階段を昇降するのに、階段の各段の蹴上げ高さが高くて負担が大きい場合に、各段差の蹴上げ高さよりも低い高さの足載せ面を上面に有する補助ステップが、階段における幅方向の一部に形成してあることにより、階段の各踏み面と、補助ステップの各足載せ面とに交互に左右の足を載せて、１ステップ毎の昇降高さを小さく楽に昇降できるようにしてあるものである。
【背景技術】
【０００２】
従来考えられている上記階段補助ステップは、階段の各段に一体に形成するか、もしくは、階段の各段の踏み面上に載置して各段に固定できるように構成してあるものがあった。（例えば、特許文献１、２参照）。
【先行技術文献】
【特許文献】
【０００３】
【特許文献１】特開２００２−３２７５２１号公報
【特許文献２】実開平２−１３３６号公報
【発明の概要】
【発明が解決しようとする課題】
【０００４】
上述した従来の階段補助ステップにおいて、前者のように予め階段の各段に補助ステップを一体に形成するためには、既存の階段には適応しにくく、階段そのものを作り直さなければならず、製作コストや手間が多くかかる問題があり、しかも、簡単に取り外せないために、不要になった場合には補助ステップそのものが邪魔な存在になることがあった。
これに対し、後者の階段補助ステップは、階段の各踏み面上に載置した補助ステップを、不要時には取り外すこともできるために、既設の階段に適応しやすい。
【０００５】
本発明の目的は、階段の蹴上げ高さに応じて足載せ面の高さを調整可能に構成するところにある。
【課題を解決するための手段】
【０００６】
本発明の第１の特徴構成は、階段における幅方向の一部の踏み面上に設置され、且つ、階段の蹴上げ高さよりも低い高さの足載せ面を有する階段補助ステップであって、前記足載せ面を上面に有する補助ステップ本体の下部に前記階段の踏み面上に対する載置部を設け、前記補助ステップ本体は、上面に前記足載せ面を形成する上側部材と、下面に前記載置部を形成する下側部材とで構成すると共に、前記下側部材に対して前記上側部材を高さ変更調整自在に一体連結及び分離可能に構成したところにある。
【０００７】
本発明の第１の特徴構成によれば、従って、階段の蹴上げ高さに応じて足載せ面の高さを調整可能になる。
【０００８】
本発明の第２の特徴構成は、前記上側部材と前記下側部材との連結部は、スライド嵌合により着脱自在に連結可能に構成したところにある。
【０００９】
本発明の第２の特徴構成によれば、夫々スライド嵌合により着脱自在に連結させるように構成してあるために、簡易に高さを調整して、設置可能になる。
従って、階段補助ステップを使っての昇降時の安全性を確保できる。
【００１０】
本発明の第３の特徴構成は、前記上側部材を、夫々上面に前記足載せ面を形成する第１分割本体と第２分割本体とから構成すると共に、前記第１分割本体と前記第２分割本体とは、互いにスライド嵌合する連結部を設けて一体連結及び分離可能に構成したところにある。
【００１１】
本発明の第４の特徴構成は、前記下側部材は、夫々下面に前記載置部を形成する第３分割本体と第４分割本体とから構成し、前記第１分割本体と前記第３分割本体とは、高さ変更調整自在に連結及び分離可能にする第３連結部を設け、前記第２分割本体と前記第４分割本体とは、高さ変更調整自在に連結及び分離可能にする第４連結部を設け、前記第３分割本体と前記第４分割本体とは、非連結状態に形成したところにある。
【図面の簡単な説明】
【００１２】
【図１】本発明の階段補助ステップの設置状態を示す斜視図である。
【図２】本発明の階段補助ステップの斜視図である。
【図３】本発明の階段補助ステップの分解斜視図である。
【図４】本発明の階段補助ステップの第１の設置状態を示す側面図である。
【図５】本発明の階段補助ステップの第２の設置状態を示す側面図である。
【図６】別実施形態の組み付け説明を示す斜視図である。
【図７】別実施形態の全体側面図である。
【図８】（ａ）、（ｂ）、（ｃ）は夫々個別の別実施形態を示す概略図である。
【図９】別実施形態の全体斜視図で、（ａ）は階段への設置状態を示し、（ｂ）は設置前か取り外し後の状態図で、（ｃ）は積み重ね状態を示す斜視図である。
【発明を実施するための形態】
【００１３】
以下に本発明の実施の形態を図面に基づいて説明する。
[第１実施形態]
図１〜図５に基づいて説明する。
建築物に形成された複数段の階段１は、蹴上げ高さが一定に設定され、その高さは高齢者や足の不自由な人にとっては負担の多いものである。
そこで、例えば蹴上げ高さを約半分にすべく、下記で示す階段補助ステップ２を、既設の階段１に設置して、左右の足の一方を既設の階段１の踏み面上に載せ、他方の足を階段補助ステップ２の足載せ面３上に載せると言う動作を、繰り返し行いながら階段１を楽に昇降できるようにするものである。
【００１４】
図２、図３に示すように、前記階段補助ステップ２は、階段１の蹴上げ高さよりも低い高さの足載せ面３を有し、足載せ面３を上面に有する補助ステップ本体４の下部に階段１の踏み面上に対する載置部５を設け、階段１における上下に隣接する踏み面夫々に載置した複数の補助ステップ本体４同士を、着脱自在に連結する連結部としての第１連結部６を、補助ステップ本体４に設けてある。
【００１５】
前記補助ステップ本体４の足載せ面３の奥側部分から上方に突出する第１連結用延設部７を設け、補助ステップ本体４の手前側下部から下方に突出する第２連結用延設部８を設け、第１連結用延設部７と第２連結用延設部８とに、互いに係合し合う係合部９と被係合部１０とを設けて第１連結部６を形成してある。
前記第１連結用延設部７には、補助ステップ本体４とは別部材の第１延設部材１１を、補助ステップ本体４に着脱自在に取り付けることで構成してある。
また、前記第２連結用延設部８には、第１延設部材１１と同様に補助ステップ本体４とは別部材の第２延設部材１２を、補助ステップ本体４に着脱自在に取り付けることで構成してある。
【００１６】
前記第１連結部６は、第１連結用延設部７における第１延設部材１１の一端部に係合部９を設け、係合部９が係合する被係合部１０を、第２連結用延設部８における第２延設部材１２の一端部に設けて、互いに各階段１の踏み面横方向にスライド嵌合させて連結可能に構成してある。
【００１７】
前記補助ステップ本体４は、上面に足載せ面３を形成する第１分割本体１３と第２分割本体１４から成る上側部材１７と、下面に載置部５を形成する第３分割本体１５と第４分割本体１６から成る下側部材１８とで分割構成して、それらを一体連結可能に構成してある(図２、図３)。
前記上側部材１７において、第１分割本体１３と第２分割本体１４とは互いにスライド嵌合する第２連結部１９を設けて一体連結及び分離可能に構成してある。
尚、第２連結部１９は、その連結状態を強固に確保するために、必要に応じてロックビスなどで不測に分離しないようにしてもよい。
前記第１分割本体１３と第３分割本体１５とは第３連結部２０を設けて、第３分割本体１５に対して第１分割本体１３を、高さ変更調整自在に連結及び分離可能に構成してあり、第２分割本体１４と第４分割本体１６とは第４連結部２１を設けて、第４分割本体１６に対して第２分割本体１４を、高さ変更調整自在に連結及び分離可能に構成してある。従って、階段１の蹴上げ高さに応じて足載せ面３の高さを調整可能に構成してある。
【００１８】
前記第１延設部材１１の補助ステップ本体４への取り付けには、第５連結部２２を形成して着脱自在に、且つ、前後相対連結位置変更自在に構成してある。つまり、具体的には、第２分割本体１４の上面部に踏み面の横方向に沿ったアリ溝２３を、前後に複数本並設すると共に、そのアリ溝２３に横からスライド嵌合自在な凸条２４を第１延設部材１１の他端部に設けて、複数のアリ溝２３に対して凸条２４を選択的にスライド嵌合させることで、第２分割本体１４に対する第１延設部材１１の前後取付位置を変更調整可能な第５連結部２２を構成してある。
【００１９】
尚、図４又は図５に示すように、６本のアリ溝２３に対して２本の凸条２４を設けて、２本の凸条２４を嵌合させるアリ溝２３を選択可能にしてある。つまり、階段の各ステップの奥行きの違いに対応して調節可能にしてある。
【００２０】
第２延設部材１２の他端部と第１分割本体１３の前側下端部には、横方向に沿ったアリ溝２３とそのアリ溝２３に嵌合可能な凸条２４を設けて、互いにスライド嵌合可能な第６連結部２５を構成してある。
【００２１】
尚、前記第１分割本体１３、第２分割本体１４、第３分割本体１５、第４分割本体１６から成る補助ステップ本体４の他に、第１延設部材１１、第２延設部材１２を、すべて、アルミニウムなどの金属の押し出し成型により製造してあるが、その素材は、合成樹脂やＦＲＰあるいは天然木製やセラミックス製であっても良い。
【００２２】
上記複数の部材の組み付けにより、階段１の各段に階段補助ステップ２を設置するについて、より安全性を高めるために、第１分割本体１３の前端縁部にステンレスやアルミニウムの芯材の表面側に蓄光性の軟質樹脂を接着した滑り止め部材２６を取り付けたり、第３分割本体１５と第４分割本体１６の下面にクッションゴム２７を夫々取り付けてある。
【００２３】
押し出し成型により、製造された補助ステップ本体４の左右両端部の少なくとも一方側でその内部の空洞部が露出する小口には、樹脂カバー２８を装着して第１連結部６、第２連結部１９、第３連結部２０、第４連結部２１、第５連結部２２、第６連結部２５が夫々外れないように構成してある。
【００２４】
尚、第１連結部６、第２連結部１９、第３連結部２０、第４連結部２１、第５連結部２２、第６連結部２５は、夫々スライド嵌合により着脱自在に連結させるように構成してあるために、階段補助ステップ同士が図１に示す矢印Ａ方向（左右）に相対回転するのを防止して、安定設置可能に構成してある。
従って、階段補助ステップを使っての昇降時の安全性を確保できる。
【００２５】
〔別実施形態〕
以下に他の実施の形態を説明する。
【００２６】
〈１〉  図８（ａ）、（ｃ）に示すように、前記第１延設部材１１を、補助ステップ本体４とは別部材として第１実施形態を示したが、補助ステップ本体４の一部として一体連設して第１連結用延設部７を構成してあってもよい。
〈２〉  図８（ｂ）、（ｃ）に示すように、前記第２延設部材１２は、第１延設部材１１と同様に、補助ステップ本体４の一部として一体連設して第２連結用延設部８を構成してあってもよい。
〈３〉  第１延設部材１１と第２延設部材１２とを別々に設ける代わりに、図８（ａ）に示すように、補助ステップ本体４の足載せ面３の奥側部分から上方に一体に突出する第１連結用延設部７を設け、補助ステップ本体４の手前側下部と第１連結用延設部７とに、互いに係合し合う係合部９と被係合部１０とを設けて第１連結部６を形成してあったり、図８（ｂ）に示すように、補助ステップ本体４の手前側下部から下方に一体に突出する第２連結用延設部８を設け、補助ステップ本体４の足載せ面３の奥側部分と第２連結用延設部８とに、互いに係合し合う係合部９と被係合部１０とを設けて第１連結部６を形成してあってもよい。また、図８（ｃ）に示すように、補助ステップ本体４の足載せ面３の奥側部分から上方に一体に突出する第１連結用延設部７を設けると共に、補助ステップ本体４の手前側下部から下方に一体に突出する第２連結用延設部８を設け、第１連結用延設部７と第２連結用延設部８とに互いに係合しあう係合部９と被係合部１０とを設けて第１連結部６を構成してあっても良い。
〈４〉  複数段の階段１において、最上段より一段下側の踏み面に設置した階段補助ステップ２に、階段１に着脱自在に固定する固定具を取り付けて、一連の複数の階段補助ステップ２をより安定的に階段１に設置できるようにしてあってもよく、固定具による階段１への固定は、ビスや釘等による固定以外に、階段１の最上段部に壁や側壁部３０への係合固定が可能に構成してあっても良い。
【００２７】
[第２実施形態]
図６〜図７に示すように、階段１における幅方向の一部の踏み面上に設置され、且つ、階段１の蹴上げ高さよりも低い高さの足載せ面３を有する階段補助ステップ２を設け、複数段の階段１における上段部から下段部に至る側壁に沿って配置する長尺の支持フレーム３１を設け、複数段の階段１夫々の踏み面に設置する複数の階段補助ステップ２に対する連結支持部３２を、支持フレーム３１に設けて階段補助ステップ装置を構成してある。
【００２８】
前記連結支持部３２は、支持フレーム３１の長手方向において階段１の各段のピッチに応じた設定間隔ごとに横方向に突出する補助フレーム３３を一体連設して、その補助フレーム３３を階段補助ステップ２に形成した嵌合部に内嵌して一体連結可能に構成してある。
従って、複数の階段補助ステップ２は、階段１の各段に設置した状態で、支持フレーム３１により安定的に位置保持され安全性を確保できる。
尚、支持フレーム３１の上端部には、階段１の上端部や側壁部３０などに着脱自在に固定する固定部３４を設けて、より安定性を向上可能に構成してある。
【００２９】
（別実施形態）
１．支持フレーム３１には、図６に示すように、階段１の傾斜に沿った手摺３５を一体に設けたり、着脱自在に取り付けられるようにしてあってもよい。
２．支持フレーム３１は、図７に示すように、上下搖動自在に、その下端部を床面部に固定できるように構成して、階段補助ステップ２が不要時には、支持フレーム３１を上方に搖動させて、簡単に階段１の踏み面上から撤去できるようにしてあってもよい。
【００３０】
[第３実施形態]
図９（ａ）、（ｂ）、（ｃ）に示すように、前記連結部を構成するのに、複数段の階段１夫々の踏み面に載置する複数の階段補助ステップ２を、夫々連結するワイヤ等の可撓性連結部材３６を設けてもよい。
尚、可撓性連結部材３６は、ワイヤ以外に紐やロープ状のものや、鎖状のものでもよく、可撓性があれば採用できる。
この場合、階段の踏み面に階段補助ステップ２を載置した後には、その階段補助ステップ２が簡単に移動しないように、載置部５に滑り止め部材を設けたり、補助ステップ本体を階段１に固定したり、最上段の階段補助ステップ２にワイヤなどの可撓性連結部材３６を上方に延長させて、その可撓性連結部材３６をビス４０などの固定具で階段１や側壁部３０などに固定すれば良く（図９（ａ））、可撓性連結部材３６で複数の階段補助ステップが連結されているために、複数の階段１への設置作業が短時間で簡単に行うことができ、施工性を良好にすることができるばかりか、階段１への設置前や取り外し後に、図９(ａ)⇔（ｂ）⇔（ｃ）に示すように、バラバラにならないように積み重ねて、場所をとらないように保管や運搬が便利にできると言う利点を有する。
また、可撓性連結部材３６により連結されている複数の階段補助ステップ２夫々が、階段１夫々の踏み面上で位置安定するように、前述の第２実施形態の構造と組み合わせてあっても良い。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３１】
１      階段
２      階段補助ステップ
３      足載せ面
４      補助ステップ本体
５      載置部
６      連結部（第１連結部）
７      第１連結用延設部
８      第２連結用延設部
９      係合部
１０    被係合部
２９    固定具
３１    支持フレーム
３２    連結支持部
３４    固定部
３５    手摺